(57)【要約】【課題】カートリッジケースの上面に凹状のラベル用の貼付部を備えるディスクカートリッジにおいて、コーナー部の印刷特性を部分的に向上させて、該コーナー部に印刷抜けが生じることを防ぐ。【解決手段】貼付部９のコーナー部１６に、斜め上向きの微小な三角コーナー面１７を形成する。この三角コーナー面１７は、コーナー部１６に係る二本の下縁線１３・１３を交差させたと仮定してできる下頂点Ｐ0 から所定距離だけ該下縁線１３・１３上の離れた位置に存する点Ｐ1 ・Ｐ2 と、該コーナー部１６に係る二本の上縁線１２・１２がぶつかる上頂点Ｐ3 の三点Ｐ1 ・Ｐ2 ・Ｐ3 で規定される。【選択図】図１
2006079750.tif 000002
【特許請求の範囲】
【請求項１】
情報記録用のディスクを収容する薄形角箱状のカートリッジケースの上面に、上向きの底面を有するインデックスラベルシール用の貼付部が段付き状に凹み形成されているディスクカートリッジにおいて、
前記カートリッジケースの上面と前記底面とをつなぐ前記貼付部の側面が、上拡がりのテーパー状に形成されていて、前記上面と前記側面との境界は上縁線で、前記底面と前記側面との境界は下縁線で仕切られており、
前記貼付部の少なくとも一つのコーナー部に、該コーナー部に係る二本の前記下縁線を交差させたと仮定してできる下頂点Ｐ0 から所定距離だけ該下縁線上の離れた位置に存する点Ｐ1 ・Ｐ2 と、該コーナー部に係る二本の前記上縁線がぶつかる上頂点Ｐ3 の三点Ｐ1 ・Ｐ2 ・Ｐ3 で規定される、斜め上向きの微小な三角コーナー面が設けられていることを特徴とするディスクカートリッジ。
【請求項２】
情報記録用のディスクを収容する薄形角箱状のカートリッジケースの上面に、上向きの底面を有するラベルシール用の貼付部が段付き状に凹み形成されているディスクカートリッジにおいて、
前記カートリッジケースの上面と前記底面とをつなぐ前記貼付部の側面が、上拡がりのテーパー状に形成されていて、前記上面と前記側面との境界は上縁線で、前記底面と前記側面との境界は下縁線で仕切られており、
前記貼付部の少なくとも一つのコーナー部に係る上下の縁線を平面視でＲ状に湾曲してあり、該コーナー部に係る前記上面と前記側面との境界部、および前記底面と前記側面との境界部のそれぞれに、面取り処理が施されていることを特徴とするディスクカートリッジ。
【発明の詳細な説明】
【技術分野】
【０００１】
本発明は、ＭＤ（ミニディスク）に代表されるディスクカートリッジに関する。
【背景技術】
【０００２】
この種のディスクカートリッジには、カートリッジケースの上面に、タイトルラベル用の貼付部を段付き状に凹み形成したうえで、該カートリッジの上面から貼付部の上向きの底面にわたって、シルクスクリーン印刷によりベタ状印刷部を形成したものがある。かかる形態のディスクカートリッジでは、カートリッジケースの上面と底面とつなぐ貼付部の側面が垂直となっていると、当該側面に印刷抜けが生じやすく、これを防ぐために特許文献１では、側面を上拡がりのテーパー状としている。
【０００３】
【特許文献１】特開２０００−７６８１６号公報
【発明の開示】
【発明が解決しようとする課題】
【０００４】
特許文献１のように、貼付部の側面を上拡がりのテーパー状にしてあると、該側面が垂直姿勢にある場合に比べて、該側面上にシルクスクリーン印刷によってベタ状印刷部を形成することが容易となる。何よりも、上面及び底面だけでなく、側面に対しても均一な印刷圧力で印刷層を形成することができるので、該側面に印刷抜けが生じることを良好に阻止できる。但し、特許文献１のような形態によっても、図７に示すごとく、貼付部９のコーナー部１６に印刷抜け２５が生じやすく、その点に改良の余地があった。
【０００５】
より詳しく見てみると、貼付部９の側面１１をテーパー状にすると、該側面１１とカートリッジケースの上面５との境界には上縁線１２が形成され、側面１１と底面１０との境界には下縁線１３が形成される。加えて、コーナー部１６において隣り合う二本の上縁線１２・１２がぶつかってできる上頂点Ｐ3 と、二本の下縁線１３・１３がぶつかってできる下頂点Ｐ0 とにわたって、斜め上向きの傾斜線２６が形成され、該コーナー部１６に係る二つの側面１１は、この傾斜線２６を挟んで互いに向かい合うような姿勢形態をとる。しかるに下頂点Ｐ0 は、平面視で二つの側面１１・１１および底面１０で囲まれたすり鉢状となり、該下頂点Ｐ0 を中心とする部位、特に傾斜線２６を挟んで向かい合う側面１１・１１部分に、インクを乗せることが非常に困難で、当該部位にベタ状印刷部１５の印刷抜け２５が生じやすい点に改良の余地があった。
【０００６】
本発明の目的は、カートリッジケースの上面に凹状のラベル用の貼付部を備えるとともに、該上面から貼付部の上向きの底面にわたってベタ状印刷部が設けられているディスクカートリッジにおいて、貼付部のコーナー部に印刷抜けが生じることを防いで、ディスクカートリッジのデザイン性を良好に確保することにある。
【課題を解決するための手段】
【０００７】
本発明は、図１および図２に示すごとく、情報記録用のディスク２を収容する薄形角箱状のカートリッジケース１の上面５に、上向きの底面１０を有するインデックスラベルシール用の貼付部９が段付き状に凹み形成されているディスクカートリッジを対象とする。図３に示すように、カートリッジケース１の上面５と底面１０とをつなぐ貼付部９の側面１１を上拡がりのテーパー状に形成する。図１および図３に示すように、上面５と側面１１との境界は上縁線１２で、底面１０と側面１１との境界は下縁線１３で仕切られている。そして、図１に示すように、貼付部９の少なくとも一つのコーナー部１６に、該コーナー部１６に係る二本の下縁線１３・１３を交差させたと仮定してできる下頂点Ｐ0 から所定距離だけ該下縁線１３・１３上の離れた位置に存する点Ｐ1 ・Ｐ2 と、該コーナー部１６に係る二本の上縁線１２・１２がぶつかる上頂点Ｐ3 の三点Ｐ1 ・Ｐ2 ・Ｐ3 で規定される、斜め上向きの微小な三角コーナー面１７が設けられていることを特徴とする。
【０００８】
また、本発明は、図５に示すごとく、情報記録用のディスク２を収容する薄形角箱状のカートリッジケース１の上面５に、上向きの底面１０を有するインデックスラベルシール用の貼付部９が段付き状に凹み形成されているディスクカートリッジを対象とする。図３に示すように、カートリッジケース１の上面５と底面１０とをつなぐ貼付部９の側面１１を上拡がりのテーパー状に形成する。図１および図３に示すように、上面５と側面１１との境界は上縁線１２で、底面１０と側面１１との境界は下縁線１３で仕切られている。そして、貼付部９の少なくとも一つのコーナー部１６に係る上下の縁線１２・１３を平面視でＲ状に湾曲してあり、該コーナー部１６に係る上面５と側面１１との境界部、および底面１０と側面１１との境界部のそれぞれに、面取り処理が施されていることを特徴とする。
【０００９】
なお、本発明において、「上拡がりのテーパー状」とは、少なくとも貼付部９のコーナー部１６を区画する二つの側面１１・１１が、斜め上向きに傾斜していることを意味する。
【発明の効果】
【００１０】
請求項１に係る本発明のように、貼付部９のコーナー部１６に斜め上向きの微小な三角コーナー面１７を形成してあると、該コーナー部１６の印刷特性を部分的に向上させることができるので、該コーナー部１６におけるベタ状印刷部１５の印刷抜けの発生を確実に防ぐことができる。つまり、従来形態（図７参照）においてコーナー部１６の印刷抜け２５の原因となっていた、下頂点Ｐ0 を中心とするすり鉢状に凹んだ部位を完全に廃することができるので、該コーナー部１６の印刷特性を良好に確保することができ、これにて貼付部９のコーナー部１６における印刷抜けを確実に阻止して、ディスクカートリッジのデザイン性を良好に確保することができる。
【００１１】
さらに当該形態によれば、側面１１の傾斜角度（θ１）を可及的に大きくとることができるので、貼付部９の底面１０とケース１の上面５との境界を明確に視認でき、したがって底面１０にインデックスラベルシートを正確に貼り付けることが可能となる。つまり三角コーナー面１６の傾斜角度（θ２）は側面１１の傾斜角度（θ２）よりも必ず小さくなるものであるため、側面１１の傾斜角度（θ１）を可及的に大きくとった場合でも、三角コーナー面１７における印刷特性を良好に確保することができ、加えて、このように側面１１の傾斜角度（θ１）を可及的に大きくとることができれば、貼付部９の底面１０とケース１の上面５との境界が不明瞭となるのを避けることできるので、インデックスラベルシートの貼付作業を正確に、且つ簡単・容易に行うことが可能となる。
【００１２】
請求項２に係る本発明のように、コーナー部１６に係る上下の縁線１２・１３を平面視でＲ状に湾曲させるとともに、各コーナー部１６に係る上面５と側面１１との境界部、および底面１０と側面１１との境界部のそれぞれに面取り処理を施した場合も、先の請求項１と同様の作用効果を得ることができる。すなわち、従来形態（図７参照）においてコーナー部１６の印刷抜け２５の原因となっていた、下頂点Ｐ0 を中心とするすり鉢状に凹んだ部位を完全に廃することができるので、該コーナー部１６の印刷特性を良好に確保することができ、これにて貼付部９のコーナー部１６における印刷抜けを確実に阻止して、ディスクカートリッジのデザイン性を良好に確保することができる。
【発明を実施するための最良の形態】
【００１３】
（第１実施形態）
図１ないし図４に、この発明をミニディスク（ＭＤ）のカートリッジに適用した実施形態を示す。図２においてディスクカートリッジのカートリッジケース（以下、単にケースと記す）１は、上下ケース１ａ・１ｂを蓋合わせ状に接合したうえで、ケース内部に設けた溶着ボスを溶着して一体化してなる四角箱状のケース体であり、ケース１の内部に情報記録媒体としてのディスク２を収容する。上ケース１ａは、透明なポリカーボネートを射出成形してなるスケルトンケースである。下ケース１ｂは、隠蔽性を有する黒色系の染料や顔料を含むポリカーボネートを素材とする黒色ケースである。
【００１４】
図１および図２において符号３は、上ケース１ａの上面５および下ケース１ｂの下面に開設された信号読み書き用の窓６をスライド開閉するシャッターを示す。シャッター３は、断面コ字形のステンレス製のプレス成形品、あるいはプラスチック成形品からなり、先の窓６を閉じた状態において、ケース内部に設けたロック爪で開放不能にロック保持できる。
【００１５】
上ケース１ａの上面５には、シャッター３用のスライド凹部７と、インデックスラベルシールを貼り付けるための貼付部９が凹み形成されている。貼付部９は、平面視で四角形の上向きの底面１０を有している。
【００１６】
図３に示すように、上面５と底面１０とをつなぐ貼付部９の側面１１は、上拡がりのテーパー状に形成されており、したがって図１に示すように、貼付部９の四周縁には、平面視で上縁線１２と下縁線１３の二本の線が現出されている。つまり、上面５と側面１１との境界は上縁線１２で、底面１０と側面１１との境界は下縁線１３で仕切られている。
【００１７】
デザイン上の興趣と商品優位性の向上を図ることを目的として、ケース１の上面５等には、ベタ状印刷部１５がシルクスクリーン法により印刷形成されている。かかるベタ状印刷部１５は、スライド凹部７の形成領域を除く上面の三辺に沿って形成された外縁部１５ａと、ディスク２のクランプエリアと正対する上面の中央部分に略円形状に形成された中央部１５ｂと、該中央部１５ｂとスライド凹部７の反対側の一辺とをつなぐように貼付部９の底面１０に形成された矩形部１５ｃとからなる。ここでは、貼付部９のコーナー部１６を含む部位にも、ベタ状印刷部１５が形成されている点が着目される。
【００１８】
従来例の欄で詳しく説明したように、貼付部９の側面１１を上向きのテーパー状としてあると、該側面１１における印刷抜けは防ぐことができるが、以前としてコーナー部１６でにおいては印刷抜けが生じやすく、その点に不利がある。かかる問題を解決するために、本実施形態においては、コーナー部１６に、微小な斜め上向きの三角コーナー面１７を形成した。
【００１９】
詳しくは、この三角コーナー面１７はＰ1 ・Ｐ2 ・Ｐ3 の三点を結んでなる。ここでＰ1 ・Ｐ2 とは、コーナー部１６に係る二本の下縁線１３・１３を交差させたと仮定してできる下頂点Ｐ0 から、所定距離だけ該下縁線１３上の離れた位置に設けた点である。Ｐ3 とは、コーナー部１６に係る二本の上縁線１２・１２がぶつかる上頂点である。本実施形態では、下頂点Ｐ0 からＰ1 までの距離と、Ｐ0 からＰ2 までの距離とは同寸法値として、二等辺三角形状の三角コーナー面１７を貼付部９のコーナー部１６に形成した。
【００２０】
図３および図４に示すように、三角コーナー面１７の傾斜角度（θ２）、より詳しくはＰ1 とＰ2 とを結んでなる短辺の中間点と上頂点Ｐ3 とで規定される三角コーナー面１７の傾斜角度（θ２）は、側面１１の傾斜角度（θ１）よりも小さい。つまり、該短辺の中間点と上頂点Ｐ3 との長さ距離は、側面１１の幅寸法よりも大きいため、三角コーナー面の傾斜角度（θ２）は、側面１１の傾斜角度（θ１）よりも必ず小さいものとなる。このことは、シルクスクリーン法によるベタ状印刷部１５の形成時において、三角コーナー面１７への印刷圧力を、上面５や底面９のそれに近付けることができることを意味し、したがって三角コーナー面１７に印刷抜けなくベタ状印刷部１５を形成することが可能となる。以上より、図７の従来形態で問題となっていた、貼付部９のコーナー部１６における印刷抜けを確実に阻止して、ディスクカートリッジのデザイン性を良好に確保することができた。なお、本発明者等の知見によれば、側面１１の傾斜角度（θ１）は２０°程度、三角コーナー面の傾斜角度（θ２）は１５°程度であれば、上記作用効果を良好に得ることができる。
【００２１】
さらに当該形態によれば、側面１１の傾斜角度（θ１）を可及的に大きくとることができるので、貼付部９の底面１０とケース１の上面５との境界を明確に視認でき、したがって底面１０にインデックスラベルシートを正確に貼り付けることができる。つまり上記において詳しく説明したように、三角コーナー面１６の傾斜角度（θ２）は側面１１の傾斜角度（θ２）よりも必ず小さくなるものであるため、側面１１の傾斜角度（θ１）を可及的に大きくとった場合でも、三角コーナー面１７における印刷特性を良好に確保することができ、加えて、このように側面１１の傾斜角度（θ１）を可及的に大きくとることができれば、貼付部９の底面１０とケース１の上面５との境界が不明瞭となるのを避けることできるので、インデックスラベルシートの貼付作業を正確に、且つ簡単・容易に行うことが可能となる。
【００２２】
上記の第１実施形態では、貼付部９は上方視で四角形状を呈していたが、貼付部９の形状はこれに限られず、要はベタ状印刷部１５が印刷形成されるコーナー部１６に、三角コーナー面１７が設けられていればよい。
【００２３】
（第２実施形態）
図５および図６に、本発明に係るディスクカートリッジの第２実施形態を示す。ディスクカートリッジの基本形態は、第１実施形態と同様である。すなわち、カートリッジケース（以下、単にケースと記す）１は、上下ケースを蓋合わせ状に接合してなるものであり、その内部に情報記録媒体としてのディスク２を収容する。ケース１には、信号読み書き用の窓６をスライド開閉するシャッター３が装着されている。上ケース１ａの上面５には、シャッター３用のスライド凹部７と、インデックスラベルシールを貼り付けるための貼付部９が凹み形成されている。貼付部９は、平面視で四角形の上向きの底面１０を有する。
【００２４】
上面５と底面１０とをつなぐ貼付部９の側面１１は、上拡がりのテーパー状に形成されており、したがって図１に示すように、貼付部９の四周縁には、平面視で上縁線１２と下縁線１３の二本の線が現出されている。つまり、上面５と側面１１との境界は上縁線１２で、底面１０と側面１１との境界は下縁線１３で仕切られている。ケース１の上面５等には、ベタ状印刷部１５がシルクスクリーン法により印刷形成されている。該ベタ状印刷部１５は、貼付部９のコーナー部１６を含む部位にも形成されている。
【００２５】
図５に示すごとく、貼付部９の四つのコーナー部１６はＲ状とされている。つまり、各コーナー部１６に係る上下の縁線１２・１３を平面視でＲ状に湾曲されている。そのうえで、本実施形態においては、貼付部９のコーナー部１６に、印刷抜けが生じることを防ぐために、各コーナー部１６に係る上面５と側面１１との境界部、および底面１０と側面１１との境界部のそれぞれに、面取り処理を施してある。ここでいう「面取り処理」とは、上面５と側面１１との境界部の角を取ることだけでなく、底面１０と側面１１との境界部を若干盛り上げて、底面１０から側面１１への立ち上がり部分をなだらかにしたことを意味する。なお、符号２０は、面取り処理を施した部位を示している。
【００２６】
このように、各コーナー部１６に係る上下の縁線１２・１３を平面視でＲ状に湾曲させるとともに、各コーナー部１６に係る上面５と側面１１との境界部、および底面１０と側面１１との境界部のそれぞれに面取り処理を施してあると、図７の従来形態のように、コーナー部１６の二つの側面１１の衝突部分や側面１１と底面１０との境界部に存していた、奥まった部分（隅部）を完全に廃することができるので、貼付部９のコーナー部１６に印刷抜けが生じることを確実に阻止できる。これにて、ベタ状印刷部１５に印刷抜けが生じることを確実に防いで、ディスクカートリッジのデザイン性を良好に確保することができる。
【００２７】
上記の実施形態では、貼付部９は上方視で四角形状を呈していたが、貼付部９の形状はこれに限られず、要はベタ状印刷部１５が印刷形成されるコーナー部１６に係る上下の縁線１２・１３を平面視でＲ状とするとともに、該コーナー部１６に係る上面５と側面１１との境界部、および底面１０と側面１１との境界部のそれぞれに面取り処理を施せばよい。
【図面の簡単な説明】
【００２８】
【図１】本発明の第１実施形態に係るディスクカートリッジの平面図
【図２】ディスクカートリッジの斜視図
【図３】図１のＡ−Ａ線断面図
【図４】図１のＢ−Ｂ線断面図
【図５】本発明の第２実施形態に係るディスクカートリッジの平面図
【図６】図５のＣ−Ｃ線断面図
【図７】従来例に係るディスクカートリッジの問題点を示す要部の平面図
【符号の説明】
【００２９】
１  カートリッジケース
５  カートリッジケースの上面
９  インデックスラベルシート用の貼付部
１０  貼付部の底面
１１  貼付部の側面
１２  上面と側面とを仕切る上縁線
１３  底面と側面とを仕切る下縁線
１５  ベタ状印刷部
１６  貼付部のコーナー部
１７  三角コーナー面
Ｐ0   二本の下縁線を交差させたと仮定してできる下頂点
Ｐ1   下頂点Ｐ0 から所定距離だけ離れた位置に存する点
Ｐ2   下頂点Ｐ0 から所定距離だけ離れた位置に存する点
Ｐ3   二本の上縁線がぶつかる上頂点
【図１】
2006079750.tif 000003
【図２】
2006079750.tif 000004
【図３】
2006079750.tif 000005
【図４】
2006079750.tif 000006
【図５】
2006079750.tif 000007
【図６】
2006079750.tif 000008
【図７】
2006079750.tif 000009